(57)【要約】      （修正有）【課題】容器を掴持した片手の指先の操作により、内容液を注出する注出容器において、構造が簡単で、かつ簡単に操作可能な誤動作防止機構の創出を技術的課題とする。【解決手段】噴出機能付きの注出ノズルを立設した左右一対の容器体と、その上端部に外嵌して、不動に組付く装着筒体と、外装筒を有し、下方に注出ノズルが密嵌入して突き当たる一対の段付き孔を開設して頂板の開口部に連通する通路を形成する注出通路を内部に有したキャップ体とを有する注出容器において、キャップ体の外装筒の前面壁の一部を、隣接する壁に一体連設する左右一対の連結小片を残した状態でのスリットの形成により、一対の連結小片を軸として前後に傾動可能な傾動板片とし、キャップ体の前後方向への傾動可能にキャップ体を装着筒体に組付け、傾動板片の上部に形成した係止孔へ装着体に突設した係止突片を嵌入した状態でキャップ体の傾動変位を不能とした。【選択図】              図２
2004331097.tif 000002
【特許請求の範囲】
【請求項１】
噴出機能付きの注出ノズル（５３）を起立させた左右一対の容器体（５１）と、前記注出ノズル（５３）を上方に突出させた状態で、前記一対の容器体（５１）の上端部に外嵌して、不動に組付く装着筒体（３１）と、前記一対の容器体（５１）の上部を外装する外装筒（１２）を有し、下方に前記注出ノズル（５３）が密嵌入して突き当たる一対の段付き孔（２３）を開設して頂板（１４）の開口部（１５）に連通する通路を形成する注出通路を内部に有したキャップ体（１１）とを有する注出容器であって、前記装着筒体（３１）の前面に係止突片（３２）を突設し、前記キャップ体（１１）の外装筒（１２）の前面壁の一部を、隣接する壁に一体連設する左右一対の連結小片（１３ｂ）を残した状態での略ロの字状のスリット（Ｓ）の形成により、前記一対の連結小片（１３ｂ）を軸として前後に傾動可能な傾動板片（１３）とし、該傾動板片（１３）の上部に前記係止突片（３２）が嵌入する係止孔（１３ａ）を形成し、前記傾動板片（１３）の前面から操作片（１７）を垂下設し、キャップ体（１１）の前後方向への傾動可能に、キャップ体（１１）の左右側端部と装着筒体（３１）の左右側端部とを軸片と軸孔の組み合わせよりなる回動部（Ｊ）で組付け結合した組立て状態において、前記傾動板片（１３）の係止孔（１３ａ）へ前記装着筒体（３１）の係止突片（３２）を嵌入した状態で、キャップ体（１１）の傾動変位を不能に、
また前記操作片（１７）の押圧による、傾動板片（１３）を前記連結小片（１３ｂ）を軸として傾動変位させての、前記係止突片（３２）の係止孔（１３ａ）からの脱嵌入を可能に、さらなる操作片（１７）の押圧によるキャップ体（１１）の傾動変位を可能に構成した注出容器。
【請求項２】
容器体（５１）をエアゾール式とした、請求項１記載の注出容器。
【請求項３】
キャップ体（１１）の頂板（１４）上に、開口部（１５）の開口縁から吐出筒（１５ａ）を立設した、請求項１または２記載の注出容器。
【請求項４】
キャップ体（１１）の頂板（１４）上に、有頂略長円筒状のドーム筒（３）の頂壁上に多数の櫛歯片（１ａ）を整列立設した櫛体（１）を取り付け、前記櫛歯片（１ａ）に内容液を注出する構成とした請求項１または２記載の注出容器。
【請求項５】
キャップ体（１１）の頂板（１４）上に、開口部（１５）の開口縁から吐出筒（１５ａ）を立設すると共に、該吐出筒（１５ａ）の上端に短筒状の嵌合筒片（１６ｃ）を連設し、該嵌合筒片（１６ｃ）に塗布体（２）を組付け固定した、請求項１または２記載の注出容器。
【発明の詳細な説明】
【０００１】
【発明の属する技術分野】
本発明は、一対の注出ノズルを有した容器から同時に内容液を噴出させると共に、この両噴出内容液を外部に注出する注出容器に関するものである。
【０００２】
【従来の技術】
例えば、或る種の染毛剤のように、２種の薬液を使用時に一緒に注出するタイプのもので、薬液を個々にエアゾール式容器に収納し、使用時に一対のエアゾール式容器から内容液である薬液を同時に噴出させると共に、この噴出した薬液を一緒に一か所から注出する容器として、特許文献１あるいは特許文献２に開示された技術がある。
【０００３】
特許文献１に記載の従来技術は、薬液を収納した一対のエアゾール式容器と、この一対のエアゾール式容器を並列に隣接して収納する有底の収納ケースと、この収納ケースの上端開口部を塞ぐ形態でヒンジ結合され、下面に各エアゾール式容器の注出ノズルが密嵌入して突き当たる段付き孔と、上面に吐出口と、そして両段付き孔と吐出口とを連通させる案内路とを形成したガイド部材の前端に、収納ケースの外側の前下方に垂下した押動レバーを連設した可動カバーと、から構成されている。
【０００４】
この従来技術にあっては、容器を掴持した片手の指で押動レバーを収納ケース側に押圧することにより、ヒンジ結合部を軸としてガイド部材を下降傾動させ、これにより一対のエアゾール式容器の注出ノズルを同時に押し下げて開放し、両エアゾール式容器の薬液を、段付き孔、案内路そして吐出口を経て、一緒に吐出するので、一つの押動レバーに対する簡単な押圧操作により、二つのエアゾール式容器の内容液を、同時にかつ一緒にした状態、すなわちそのまま使用することのできる状態で吐出する、と云う優れた効果を発揮する。
【０００５】
また、吐出口に様々な形状の櫛体、塗布体等を取り付けて使用され、たとえば内容液を直接櫛歯に注出して、櫛体で頭髪を梳くことにより、注出した内容液をそのまま頭髪に塗布することができる。
【０００６】
【特許文献１】
特開平４−１０２５６９号公報
【特許文献２】
特開平１１−５８７
【０００７】
【発明が解決しようとする課題】
上記した従来技術は、収納ケースと可動カバーのヒンジ結合部を支点、可動カバーのヒンジ結合部と反対側に付設した押動レバーの下端部を力点、可動カバーに付設した段付き孔を作用点とした梃子の原理で可動カバーを傾動させ、エアゾール式容器の注出ノズルを押し下げ、開放しよとするものである。
【０００８】
しかしながら、吐出口への櫛体、塗布体等の取り付けの際に可動カバーを下方に押してしまう等の誤操作により内容液を注出してしまう場合があり、構造、および操作が簡単で、誤操作を確実に防止する機構を有した容器が要望されている。
【０００９】
そこで、本発明は、上記した従来技術における問題点を解消すべく創案されたもので、容器を掴持した片手の指先の操作により、注出ノズルを傾動下降して内容液を注出する注出容器においての、構造が簡単で、かつ簡単に操作することが可能な誤動作防止機構を創出することを技術的課題とし、もって注出操作性が良好で、誤動作のない安全性の高い注出容器を提供することを目的とする。
【００１０】
【課題を解決するための手段】
上記技術的課題を解決する本発明の内、請求項１記載の発明の手段は、
噴出機能付きの注出ノズルを起立させた左右一対の容器体と、
この注出ノズルを上方に突出させた状態で、一対の容器体の上端部に外嵌して、不動に組付く装着筒体と、
一対の容器体の上部を外装する外装筒を有し、下方に注出ノズルが密嵌入して突き当たる一対の段付き孔を開設して頂板の開口部に連通する通路を形成する注出通路を内部に有したキャップ体とを有する注出容器であって、
装着筒体の前面に係止突片を突設し、
キャップ体の外装筒の前面壁の一部を、隣接する壁に一体連設する左右一対の連結小片を残した状態での略ロの字状のスリットの形成により、一対の連結小片を軸として前後に傾動可能な傾動板片とし、
傾動板片の上部に前記係止突片が嵌入する係止孔を形成し、
傾動板片の前面から操作片を垂下設すること、
キャップ体の前後方向への傾動可能に、キャップ体の左右側端部と装着筒体の左右側端部とを軸片と軸孔の組み合わせよりなる回動部で組付け結合した組立て状態において、
傾動板片の係止孔へ装着筒体の係止突片を嵌入した状態で、キャップ体の傾動変位を不能に、
また操作片の押圧による、傾動板片を前記連結小片を軸として傾動変位させての、係止突片の係止孔からの脱嵌入を可能に、
さらなる操作片の押圧によるキャップ体の傾動変位を可能に構成したこと、
にある。
【００１１】
請求項１記載の上記構成の注出容器は一対の容器体、装着体、キャップ体の各部材を有し、下に示すように各部材が組み付けられ、一体として使用される。
すなわち、
１．装着体左右一対の容器体の上端部に上方から外嵌して、装着体を容器体に不動に組付き固定する。
２．装着体の開口部から突出する一対の容器体の注出ノズルを一対の段付き孔に密嵌入して、キャップ体を揺動可能に容器体に組付け固定すると共に、装着筒体の外側から前記一対の容器体の上部を外装する外装筒の左右側端部と、装着体の左右側端部を、軸片とを軸孔の組み合わせにより組付け結合し、キャップ体を前後方向への傾動可能に装着体に組付ける。
なお、本発明の
【００１２】
上記のように各部材を組付けた状態で、外装筒の前面壁の左右中央に、左右一対の連結小片により前後方向への傾動可能に形成された傾動板片が位置し、この傾動板片の上部に形成された係止孔に装着体の前面に突設された係止突片が嵌入した状態となり、この状態でキャップ体の傾動変位を不能とする誤動作防止機構が形成され、誤動作防止の機能が発揮される。
【００１３】
また、上記傾動板片から垂下設された操作片は一対の容器体の前面左右中央位置で、外装筒の外表面に沿って垂下された状態である。
【００１４】
この状態で、たとえばキャップ体を誤って上から押したり、上部に櫛体を取り付ける際にキャップ体に大きな力が下方に作用しても、上記した誤動作防止機構によりこれら誤動作によるキャップ体の傾動、すなわち注出ノズルの傾動下降状の押圧による内容液の注出を確実に防ぐことができる。
【００１５】
また、この注出容器を掴持した片手の親指で操作片を押圧すると、操作片と共に、傾動板片が上部外側方向に連結小片を回動軸として傾動し、係止孔から係止突片が外れて（脱嵌入して）、誤操作防止の機能が解除され、キャップ体の傾動が可能となり、さらなる操作片の押圧により操作片がキャップ体の外装筒の下端部に当接し、キャップ体が左右側端部の回動部を軸として傾動し、その結果一対の段付き孔を介して一対の注出ノズルが傾動下降して容器体内の内容液が噴出する。
【００１６】
そして、噴出された内容液は両段付き孔から注出通路およびキャップ体の頂板に形成された開口部を経て外部に注出される。
【００１７】
また、操作体への押圧を解除すると、キャップ体が傾動姿勢から元の姿勢に戻り、さらには連結小片の捩じれ変形が弾性的に回復して、元の位置に戻り、再び係止突片が係止孔に嵌入して、誤動作防止機構がセットされた状態となる。
【００１８】
上記のように装着体の係止突片と傾動板片の係止孔を組み合わせることにより簡単な構造ではありながら、誤動作防止の作用効果が発揮されると共に、操作片の押圧により使用者が意識することなくこの防止機構を解除して注出操作を達成することができる。
【００１９】
請求項２記載の発明の手段は、請求項１記載の発明において、容器体をエアゾール式とすること、にある。
【００２０】
請求項２記載の上記構成により、注出ノズルが一対の段付き孔により等しく押し下げられるので、高圧で噴出するエアゾールにおいても、両容器の内容液の噴出を同時に達成することが可能となる。
【００２１】
請求項３記載の発明の手段は、請求項１または２記載の発明において、
キャップ体の頂板上に、開口部の開口縁から吐出筒を立設すること、にある。
【００２２】
請求項３記載の上記構成により、両内容液を、１つの吐出筒から一緒に注出するので、１つの特定された箇所への両内容液の注出を正確に達成することが容易である。
【００２３】
請求項４記載の発明の手段は、請求項１または２記載の発明において、
キャップ体の頂板上に、有頂略長円筒状のドーム筒の頂壁上に多数の櫛歯片を整列立設した櫛体を取り付け、櫛歯片に内容液を注出する構成とすること、にある。
【００２４】
請求項４記載の上記構成により、内容液を直接櫛歯に注出することができるので、この櫛体で頭髪を梳くことにより、注出した内容液をそのまま頭髪に塗布することができ、またこの塗布操作は、内容液を小出しに注出しながら、連続的に行うことができるので、頭髪全体に対して内容液を均等に塗布することが容易である。
【００２５】
請求項５記載の発明の手段は、請求項１または２記載の発明において、
キャップ体の頂板上に、開口部の開口縁から吐出筒を立設すると共に、吐出筒の上端に短筒状の嵌合筒片を連設し、嵌合筒片に塗布体を組付け固定すること、にある。
【００２６】
請求項５記載の上記構成により、両内容液を塗布体から滲み出させて塗布するので、塗布体を使用しての内容液の塗布を、きわめて簡単に行うことができると共に、内容液を塗布し易い状態を得ることができ、また内容液の注出を小出しに連続的に行うことにより、内容液の均一な塗布を簡単に達成することができる。
【００２７】
【発明の実施の形態】
以下、本発明の一実施例を、図面を参照しながら説明する。
図１〜６は本願発明の注出容器の第１実施例を示す。このうち図１は半縦断面正面図であり、図２は図３のＡ−Ａ線に沿って不規則に縦断した側面図であり、図３は平面図であるが、図１および図２中では、容器体５１については従断面しないで示している。また、図４はキャップ体１１および操作片１７を示す斜視図であり、図５は装着体３１の平面図であり、また図６は操作片１７の押圧の際のキャップ体１１の傾動変位の過程を要部縦断側面図で示した、説明図である。
【００２８】
エアゾール式容器である容器体５１は、細長有底円筒状をした金属製本体の縮径した口部に、弁による開閉機能部を備えた注出ノズル５３を有する金属製あるいは硬質樹脂製のキャップをカシメ固定して頭部５２を形成し、注出ノズル５３は、この頭部５２の上面に起立した状態となっている。
【００２９】
装着体３１は略有頂の長円筒状であり、嵌着筒片３４が左右に並列に隣接配置された一対の容器体５１上端部に外嵌し、下端部にある係止片３７が容器体５１の頭部５２の下端部に係止して、注出ノズル５３を頂壁３８の開口部３６から上方に突出させた状態で、一対の容器体５１に不動に組付く。（図１、２および５参照）
【００３０】
また、この装着体筒３１の前面には後述する誤操作防止機構Ｋの一部を構成する係止突片３２が突設され、左右の側端面からは後述する回動部Ｊの一部を構成する一対の軸片３３が突設されている。
【００３１】
本実施例のキャップ体１１は内部に内容液の注出通路を形成するための通路ブロック体２１を有する構成であり、この通路ブロック体２１は注出筒２８を上面中央に立設し、下面に下方に開放した容器体５１の注出ノズル５３が突き抜け不能に密嵌入する一対の段付き孔２３を左右に開設し、流路２４が両段付き孔２３と注出筒２８が形成する注出口２８ａを連通する構成としている。なお本実施例では上下２つの部材を組付けてこの通路ブロック体２１を形成している。
【００３２】
キャップ体１１は、有頂で略長円筒状の外装筒１２を有し、頂板１４の中央部の開口部１５の開口縁から吐出筒１５ａを起立設すると共に、前述した通路ブロック体２１の注出筒２８が密嵌入する通路筒１５ｂを垂下設している。
【００３３】
また、キャップ体１１の外装筒１２の前面壁の左右中央位置には、壁の一部を、隣接する壁に一体連設する左右一対の連結小片１３ｂを残した状態での略ロの字状のスリットＳの形成により傾動板片１３が形成されており、この傾動板片１３は一対の連結小片１３ｂを軸として前後に傾動可能な状態である。（主として図４参照）
【００３４】
また傾動板片１３上部には前述した装着体３１の係止突片３２が嵌入する係止孔１３ａが形成されており、その下には後述する操作片１７が組付き結合するための嵌合孔１３ｃが形成されており、また傾動板片１３の下方では外装筒１２の一部を下方に僅かに延設してその下端に外鍔片１２ａを設けた構造としている。
【００３５】
また、外装筒１２の左右の側端部には前述した装着体３１の左右一対の軸片３３が嵌入するための一対の軸孔１９が形成されている。
【００３６】
また、本実施例では操作片１７を別部材として嵌合突片１７ａをアンダーカット状に傾動板片１３の嵌合孔１３ｃに嵌入して傾動板片１３に組付き固定する構成である。
【００３７】
本第１実施例の注出容器は上記したように、一対の容器体５１、装着体３１、通路ブロック体２１、キャップ体１１および操作片１７の部材から構成され、たとえば一例として次のような手順でこれら部材を組付き結合して使用される。
すなわち、
１．装着体３１を並列に隣接配置された一対の容器体５１の上端部に上方から外嵌して、装着体３１を容器体５１に不動に組付ける。
２．操作片１７を傾動板片１３に取り付け、通路筒１５ｂに注出筒２８を密嵌入させて、キャップ体１１に通路ブロック体２１を組付き結合する。
３．装着体３１の開口部３６から突出する一対の容器体５１の注出ノズル５３に通路ブロック体２１の段付き孔２３を密嵌入させて、キャップ体１１で容器体５１の上部を外装する。
４．同時に装着体３１の一対の軸片３３を軸孔１９に嵌入して、この軸片３３と軸孔１９により構成される回動部Ｊを軸として前後方向への傾動可能に、キャップ体１１を装着体３１に取り付ける。
【００３８】
上記のように各部材を組付けた状態で、外装筒１２の前面壁の左右中央に、左右一対の連結小片１３ｂにより前後方向への傾動可能に形成された傾動板片１３が位置し、この傾動板片１３の上部に形成された係止孔１３ａに装着体３１の前面に突設された係止突片３２が嵌入した状態となり、誤動作防止機構Ｋを形成する。
【００３９】
また、上記傾動板片１３にアンダーカット状に組付き結合した操作片１７は一対の容器体５３の前面左右中央位置で、傾動板片１３から斜め前方に延出設した肩部１８を介して外鍔片１２ａの外側に垂下設した状態となる。
【００４０】
この状態で、たとえばキャップ体１１を誤って上から押したり、上部に櫛体等を取り付ける際にキャップ体１１に大きな力が作用しても、上記した誤動作防止機構Ｋによりこれら誤動作によるキャップ体１１の傾動下降、すなわち通路ブロック体２１を介した注出ノズル５３の傾動下降状の押圧による内容液の注出を確実に防ぐことができる。（図６（ａ）参照）
【００４１】
また、この注出容器を掴持した片手の親指で操作片１７を押圧すると、操作片１７と共に、傾動板片１３が上部外側方向に連結小片１３ｂを回動軸として傾動し、係止孔１３ａから係止突片３２が外れて（脱嵌入して）、誤動作防止機構Ｋの防止機能が解除されキャップ体１１の傾動が可能となり（図６（ｂ）参照）、さらなる操作片１７の押圧により操作片１７が外装筒１２の下端部の外鍔片１２ａに当接し、キャップ体１１が左右側端部の回動部Ｊを軸として傾動し、その結果一対の段付き孔２３を介して一対の注出ノズル５３が傾動下降する（図６（ｃ）参照、また図６（ｂ）および（ｃ）中の白抜き矢印は押圧方向を示す。）。
【００４２】
このようにして、注出ノズル５３が傾動下降すると、一対の容器体５３から内容液が同時に噴出され、噴出された２種の内容液は両段付き孔２３から流路２４および注出筒２８を経て、同時にキャップ体１１の頂板１４に起立設された吐出筒１５ａから注出容器外部に注出される。
【００４３】
内容液の注出後、操作体１７への押圧を解除すると、キャップ体１１が傾動姿勢から元の姿勢に戻り、さらには連結小片１３ｂの捩じれ変形が弾性的に回復して、傾動板片１３が元の位置に戻り、再び係止突片３２が係止孔１３ａに嵌入して、誤動作防止機構Ｋが機能する。
【００４４】
上記のように装着体３１の係止突片３２と傾動板片１３の係止孔１３ａを組み合わせることにより簡単な構造ではありながら、誤動作防止の作用効果が発揮されると共に、操作片１７の押圧により使用者が意識することなくこの誤動作防止機構Ｋを解除して注出操作を達成することができる。
【００４５】
図７は本発明の第２実施例を示すものであり、キャップ体１１の頂板１４上に櫛体１を取り付けた構成の一例であり、頂板１４には嵌着段部１６ａが形成され、さらに長円筒状の嵌合筒片１６が立設されているが、この頂板１４を上から覆って、嵌着段部１６ａに外嵌する半長球弧殻状のドーム筒３内に、嵌合筒片１６に密に嵌入する密嵌筒片４を垂下設し、ドーム筒３の上面に、左右方向に等間隔に配列した多数の櫛歯片１ａを立設し、各櫛歯片１ａ間のドーム筒３の壁部分に注出孔５を開設した櫛体１が、キャップ体１１に組付けられている。なお、勿論のことではあるが櫛体１の形状あるいは櫛体１への内容液の注出方式は本実施例に限定されるものでなく、たとえば櫛歯片１ａを２列に並べた形状、櫛歯片１ａを斜め上方に立設した形状等、通常用いられる様々な形状の櫛体１をキャップ体１１の頂板１４上に取り付けて使用することができ、また本実施例のように櫛歯片１ａの基端部に注出する方式の他にも、櫛歯片１ａ内部に注出路を形成して櫛歯片１ａの先端近傍から注出する方式等も使用することができる。
【００４６】
また、本第２実施例においては、キャップ体１１の頂板１４を上から覆って、櫛体１が取り付けられており、両内容液が注出口２８から同時に頂板１４上に吐出され、そのまま注出孔５から各櫛歯片１ａに注出されるので、内容液を櫛体１を使って直接頭髪に塗布することができる。
【００４７】
図８は本発明の第３実施例を示すもので、第１実施例の吐出筒１５ａの上端に、拡径して有底短円筒状となった嵌合筒片１６ｃを連設し、この嵌合筒片１６ｃ内に、連続気泡を有するスポンジとか不織布等の塗布体２を、その一部を上方に突出させた状態で嵌入固定している。
【００４８】
この第３実施例において、吐出筒１５ａから嵌合筒片１６ｃ内に注出された内容液は、塗布体２を浸透して、この塗布体２上面に滲み出るので、塗布体２による内容液の塗布が、行い易いものとなる。
【００４９】
また、第１実施例でも同様であるが、吐出筒１５ａから注出筒２８にかけての部分に混合棒片等を挿入することにより、２種の液の混合を十分にさせた状態で注出させることができる。
【００５０】
なお、上述した第１〜第３実施例においては、通路ブロック体２１を有し、この通路ブロック体２１内で一対の容器体５１から噴出された２種の内容液を混合させながら外部に注出する例について記載したが、本願発明の注出容器によれば、２種の内容液を容器内で混合させることなく別流路で流動させてたとえば櫛歯片に別々に注出することもできる。
【００５１】
【発明の効果】
本発明は、上記した構成となっているので、以下に示す効果を奏する。
請求項１記載の発明にあっては、キャップ体の前面に略ロの字状のスリットにより傾動板片を形成し、装着体の係止突片と傾動板片の係止孔を組み合わせることにより簡単な構造ではありながら、誤動作防止の作用効果が発揮されると共に、操作片の押圧により使用者が意識することなくこの誤動作防止機能を解除して注出操作を達成することができる。
【００５２】
請求項２記載の発明にあっては、注出ノズルが一対の段付き孔により等しく押し下げられるので、高圧で噴出するエアゾール容器においても、両容器の内容液の噴出を同時に達成することが可能となる。
【００５３】
請求項３記載の発明にあっては、２種の内容液物を、１つの吐出筒から一緒に注出するので、１つの特定された箇所への両内容液の注出を正確に達成することが容易である。
【００５４】
請求項４記載の発明にあっては、内容液を直接櫛歯に注出することができるので、この櫛体で頭髪を梳くことにより、注出した内容液をそのまま頭髪に塗布することができ、またこの塗布操作は、内容液を小出しに注出しながら、連続的に行うことができるので、頭髪全体に対して内容液を均等に塗布することが容易である。
【００５５】
請求項５記載の発明にあっては、両内容液を塗布体から滲み出させて塗布するので、塗布体を使用しての内容液の塗布を、きわめて簡単に行うことができると共に、内容液を塗布し易い状態を得ることができ、また内容液の注出を小出しに連続的に行うことにより、内容液の均一な塗布を簡単に達成することができる。
【図面の簡単な説明】
【図１】本発明の第１実施例を示す、一部半縦断した正面図。
【図２】図１に示した実施例の、図３中のＡ−Ａ線に沿って一部を不規則に縦断して示す、側面図。
【図３】図１に示した実施例の平面図。
【図４】図１に示した実施例のキャップ体および操作片を示す、斜視図。
【図５】図１に示した実施例の装着体を示す、平面図。
【図６】図１に示した実施例における操作片の押圧の際の傾動変位の過程を要部縦断側面図で示した、説明図。
【図７】本発明の第２実施例を示す、一部半縦断した正面図。
【図８】本発明の第３実施例を示す、一部半縦断した正面図。
【符号の説明】
１    ；  櫛体
１ａ  ；  櫛歯片
２    ；  塗布体
３    ；  ドーム筒
４    ；  密嵌筒片
１１  ；  キャップ体
１２  ；  外装筒
１２ａ；  外鍔片
１３  ；  傾動板片
１３ａ；  係止孔
１３ｂ；  連結小片
１３ｃ；  嵌合孔
１４  ；  頂板
１５  ；  開口部
１５ａ；  吐出筒
１５ｂ；  通路筒
１６  ；  嵌合筒片
１６ａ；  嵌合段部
１６ｃ；  嵌合筒片
１７  ；  操作片
１７ａ；  嵌合突片
１８  ；  肩片
１９  ；  軸孔
２１  ；  通路ブロック体
２３  ；  段付き孔
２４  ；  流路
２８  ；  注出筒
２８ａ；  注出口
３１  ；  装着体
３２  ；  係止突片
３３  ；  軸片
３４  ；  嵌着筒片
３６  ；  開口部
３７  ；  係止片
３８  ；  頂壁
５１  ；  容器体
５２  ；  頭部
５３  ；  注出ノズル
Ｓ    ；  スリット
Ｋ    ；  誤動作防止機構
Ｊ    ；  回動部
【図１】
2004331097.tif 000003
【図２】
2004331097.tif 000004
【図３】
2004331097.tif 000005
【図４】
2004331097.tif 000006
【図５】
2004331097.tif 000007
【図６】
2004331097.tif 000008
【図７】
2004331097.tif 000009
【図８】
2004331097.tif 000010